(57)【要約】【課題】原稿給送装置において、排紙原稿へのアクセスを容易にすると共に、ユーザーに排紙原稿をより確実に回収させることが可能な原稿給紙装置を提供する。【解決手段】原稿読み取り位置に給送される原稿を積載する原稿トレイ２０を有する原稿給送装置１であって、原稿が原稿読み取り位置に給紙される給紙位置と、原稿読み取り位置を通過して排出される原稿を受け取る排出位置との間で、原稿トレイ２０を移動させる駆動装置３０と、原稿トレイ２０が排出位置へ移動した時、原稿を給紙位置で支持して、排出位置の原稿トレイ２０に支持された原稿とを仕切る仕切り装置４０とを有することで、一の原稿トレイ２０で原稿の給紙、排紙される原稿の受け取りを行う。【選択図】図１
2009040519.tif 000002
【特許請求の範囲】
【請求項１】
原稿読み取り位置に給送される原稿を積載する原稿トレイを有する原稿給送装置であって、
前記原稿が前記原稿読み取り位置に給紙される給紙位置と、前記原稿読み取り位置を通過して排出される前記原稿を受け取る排出位置との間で、前記原稿トレイを移動させる駆動装置と、
前記原稿トレイが前記排出位置へ移動した時、前記原稿を前記給紙位置で支持して、前記排出位置の前記原稿トレイに支持された前記原稿とを仕切る仕切り装置とを有することを特徴とする原稿給送装置。
【請求項２】
前記仕切り装置は、前記給紙位置で前記原稿を支持する支持位置と、該支持位置から退避する退避位置との間を移動することを特徴とする請求項１に記載の原稿給送装置。
【請求項３】
前記原稿トレイは、前記仕切り装置を収容する凹部と、
前記凹部と接続し前記仕切り装置の移動経路に沿って設けられた中空部とを有することを特徴とする請求項２に記載の原稿給送装置。
【請求項４】
前記仕切り装置は、棒材で形成されて、操作者の非把持側を支持することを特徴とする請求項１に記載の原稿給送装置。
【請求項５】
前記仕切り装置は、原稿の対角線の内、把持側が切り欠かれた略ｙ字形状を有することを特徴とする請求項４に記載の原稿給送装置。
【請求項６】
前記原稿トレイは、前記仕切り装置を収容する凹形状を有することを特徴とする請求項４または５に記載の原稿給送装置。
【請求項７】
前記原稿トレイに原稿が載置されているか否かを検出する検出センサと、
前記検出センサの検出結果に基づいて、前記駆動装置の駆動を制御する制御装置とを有することを特徴とする請求項４〜６のいずれか一項に記載の原稿給送装置。
【発明の詳細な説明】
【技術分野】
【０００１】
本発明は、複写機、プリンタ、またはファクシミリ装置等の画像形成装置に接続されるＡＤＦ（Auto Document Feeder）等の原稿給送装置に関するものである。
【背景技術】
【０００２】
一般に、原稿給送装置は、原稿給紙トレイに積載された原稿を一枚ずつ、スキャナ装置等が設けられる原稿読み取り位置へと給送して、当該原稿の画像を読み取らせ、読み取りを終えた原稿を順次、原稿給紙トレイの下方に設けられた原稿排紙トレイへ排出する構成となっている。
【０００３】
ところで、原稿排出トレイへ排出された排紙原稿をユーザー（操作者）が回収する際、原稿給紙トレイと原稿排紙トレイとの間隔が狭いと、排紙原稿を容易に回収できないという問題があった。
【０００４】
従来、上記問題を解決する原稿給送装置として、原稿給紙トレイに積載された原稿の給送による減少に応じて、原稿給紙トレイを上昇させることによって、原稿給紙トレイと原稿排紙トレイとの間隔を広く離間させ、原稿を容易に回収させる原稿給送装置が知られている（例えば、特許文献１）。
【特許文献１】特開２００６−１６０９３号公報
【発明の開示】
【発明が解決しようとする課題】
【０００５】
しかしながら、上記原稿給送装置であっても、依然として原稿給紙トレイが原稿排紙トレイの上方に設けられる構成となっているため、ユーザーは、原稿排紙トレイ上に積載した排紙原稿に、原稿給紙トレイを避けるようにしてアクセスしなければならない問題がある。
【０００６】
また、原稿排紙トレイの上方に設けられる原稿給紙トレイが、ユーザーの排紙原稿を視認する行為を妨げることで、排紙原稿の回収を困難なものにし、さらに、排紙原稿の回収し忘れを発生させる問題がある。
【０００７】
本発明は、上述する問題点に鑑みてなされたもので、原稿給送装置において、排紙原稿へのアクセスを容易にすると共に、ユーザーに排紙原稿をより確実に回収させることが可能な原稿給紙装置を提供することを目的とする。
【課題を解決するための手段】
【０００８】
上記の課題を解決するために、本発明は、原稿読み取り位置に給送される原稿を積載する原稿トレイを有する原稿給送装置であって、上記原稿が上記原稿読み取り位置に給紙される給紙位置と、上記原稿読み取り位置を通過して排出される上記原稿を受け取る排出位置との間で、上記原稿トレイを移動させる駆動装置と、上記原稿トレイが上記排出位置へ移動した時、上記原稿を上記給紙位置で支持して、上記排出位置の上記原稿トレイに支持された上記原稿とを仕切る仕切り装置とを有するという構成を採用する。
このような構成を採用することによって、本発明では、給紙位置に給紙原稿をセットした後に、原稿トレイを排出位置に移動させることができる。また、原稿トレイが排紙位置へ移動する際、仕切り装置が、給紙原稿を支えることができ、かつ、給紙原稿を原稿トレイに排出される排紙原稿から分離させることができる。
【０００９】
また、本発明においては、上記仕切り装置は、上記給紙位置で上記原稿を支持する支持位置と、該支持位置から退避する退避位置との間を移動するという構成を採用する。
このような構成を採用することによって、本発明では、仕切り装置が給紙原稿を支持する支持位置から退避することができる。
【００１０】
また、本発明においては、上記原稿トレイは、上記仕切り装置を収容する凹部と、上記凹部と接続し上記仕切り装置の移動経路に沿って設けられた中空部とを有するという構成を採用する。
このような構成を採用することによって、本発明では、仕切り装置を収容できると共に、原稿トレイ上に原稿が積載した状態であっても、仕切り装置を支持位置へ移動させることができる。
【００１１】
また、本発明においては、上記仕切り装置は、棒材で形成されて、操作者の非把持側を支持するという構成を採用する。
このような構成を採用することによって、本発明では、排紙原稿を回収するユーザーの非把持側を棒材で支持することができる。また、棒材なので原稿を覆う領域（面積）が少なく視認性が向上する。
【００１２】
また、本発明においては、上記仕切り装置は、原稿の対角線の内、把持側が切り欠かれた略ｙ字形状を有するという構成を採用する。
このような構成を採用することによって、本発明では、略ｙ字形状に形成された棒材で給紙原稿を支持することができる。
【００１３】
また、本発明においては、上記原稿トレイは、上記仕切り装置を収容する凹形状を有するという構成を採用する。
このような構成を採用することによって、本発明では、原稿トレイと仕切り装置とが一体となって、給紙原稿を支持することができる。
【００１４】
また、本発明においては、上記原稿トレイに原稿が載置されているか否かを検出する検出センサと、上記検出センサの検出結果に基づいて、上記駆動装置を駆動させる制御装置とを有するという構成を採用する。
このような構成を採用することによって、本発明では、ユーザーが排紙原稿を回収したことを検出センサで検出した後、原稿トレイを初期の待機状態へ移行させることができる。したがって、排紙原稿の回収前に移動して、仕切り装置に衝突することで損傷させることを防止できる。
【発明の効果】
【００１５】
上記の課題を解決するために、本発明は、原稿読み取り位置に給送される原稿を積載する原稿トレイを有する原稿給送装置であって、上記原稿が上記原稿読み取り位置に給紙される給紙位置と、上記原稿読み取り位置を通過して排出される上記原稿を受け取る排出位置との間で、上記原稿トレイを移動させる駆動装置と、上記原稿トレイが上記排出位置へ移動した時、上記原稿を上記給紙位置で支持して、上記排出位置の上記原稿トレイに支持された上記原稿とを仕切る仕切り装置とを有するという構成を採用することによって、給紙位置に給紙原稿をセットした後に、原稿トレイを排出位置に移動させることができる。また、原稿トレイが排紙位置へ移動する際、仕切り装置が、給紙原稿を支えることができ、かつ、給紙原稿を原稿トレイに排出される排紙原稿から分離させることができる。
つまり、本発明では、一つの原稿トレイで給紙原稿の給送、排紙原稿の受け取りを行うことができるため、原稿トレイに載置された排紙原稿に直接アクセスすることができると共に、排紙原稿を確実に視認することができる。
したがって、本発明は、ユーザーの排紙原稿へのアクセスを容易にすると共に、ユーザーに排紙原稿をより確実に回収させることができる効果がある。
【発明を実施するための最良の形態】
【００１６】
次に、本発明の実施形態を図面に基づいて説明する。なお、以下の図面において、各部材を認識可能な大きさとするために、各部材の縮尺を適宜変更している。
【００１７】
（第１実施形態）
以下、本発明の第１実施形態における原稿給送装置について説明する。
図１は、本発明の第１実施形態における原稿給送装置１の構成図を示す。
図１（ａ）は、原稿給送装置１の平面図を示す。
図１（ｂ）は、図１（ａ）における原稿給送装置１の線視Ｘ−Ｘ断面図を示す。
【００１８】
図１（ｂ）に示すように、原稿給送装置１は、原稿給送装置１の下部に設けられたスキャナ等が設置される原稿読み取り部５０を有する不図示の画像形成装置に、ヒンジ連結され、画像形成装置に対して開閉可能に設けられる。
ここで、原稿読み取り位置とは、原稿給送装置１と原稿読み取り部５０とが対向する位置であって、原稿が読み取られる位置のことをいう。
【００１９】
また、図１（ａ）に示すように、原稿給送装置１は、平面略四角形状を有するフレーム２と、フレーム２の左端側に設けられた給紙装置１０と、給紙装置１０へ給紙する原稿を積載する原稿トレイ２０と、原稿トレイ２０を移動させる駆動装置３０と、給紙装置１０へ給紙する原稿を支持すると共に、給紙装置１０から排出された原稿とを仕切る仕切り装置４０とを有する構成となっている。
【００２０】
フレーム２は、原稿給送装置１の外装を形成するものである。
フレーム２は、原稿トレイ２０から給紙装置１０へ給紙される原稿の前方側を保持する保持部６と、原稿の幅方向の位置を調節するスライドカーソル３と、原稿トレイ２０を一端で支持する支持柱４と、仕切り装置４０を格納する格納部５（後述）とを有する。
【００２１】
保持部６は、略水平面を有し、給紙装置１０の後述する給紙部１１と原稿トレイ２０との間を連接するように設けられる。
スライドカーソル３は、保持部６に一対となって設けられ、互いに対峙方向にスライドすることで近接離間することが可能な構成となっている。
支持柱４は、フレーム２の右端側手前に設けられ、原稿トレイ２０の一端を原稿トレイ２０の幅方向と平行な軸周りに回転自在に支持する構成となっている。
【００２２】
給紙装置１０は、原稿トレイ２０に積載された原稿を給送し、原稿読み取り位置で原稿読み取り部５０に原稿を読み取らせるものである。
図１（ｂ）に示すように、給紙装置１０は、原稿を給紙する給紙部１１と、原稿を排出する排出部１２とを有する。
また、給紙装置１０は、内部に、給紙部１１に給紙された原稿を一枚ずつ導入するピックアップローラ１３と、ピックアップローラ１３から導入された原稿の先端の位置を調節する調節ローラ１４と、調節ローラ１４によって先端の位置を調節された原稿を原稿読み取り位置へ向けて給送する給送ローラ１５と、給送ローラ１５によって給送された原稿を密着させて原稿読み取り位置を通過させ原稿読み取り部５０に読み取らせる密着ローラ１６と、密着ローラ１６への原稿の密着を補助する補助ローラ１７と、原稿読み取り位置を通過した原稿を排出部１２から排出する排出ローラ１８とを有する構成となっている。
なお、各ローラは、互いに軸方向（紙面垂直方向）に平行に設置される。
【００２３】
ピックアップローラ１３は、アーム１３ａに接続され、給紙部１１近傍の上部に設置される。ピックアップローラ１３は、通常は待機位置にあり、給紙時に、アーム１３ａによって移動され、積載した原稿の最上面に当接可能な構成となっている。
【００２４】
調節ローラ１４は、ピックアップローラ１３の下流に設けられ、一対のローラの回転駆動で、給紙された原稿の先端の位置を調整する構成となっている。
【００２５】
給送ローラ１５は、調節ローラ１４の下流に設けられ、一対のローラの回転駆動で、密着ローラ１６へ原稿を給送する構成となっている。
【００２６】
密着ローラ１６は、原稿読み取り部５０の近傍であって、給送ローラ１５の更に下流に位置し、原稿読み取り部５０との間に介在する不図示のガラス面に近接するように設けられる。
また、補助ローラ１７は、密着ローラ１６の周面に密接するように複数設けられる。
そして、密着ローラ１６は、密着ローラ１６の周面に複数設けられた補助ローラ１７と協働して、給送された原稿を密着ローラ１６に密着させつつ、原稿読み取り部５０と対向する位置で原稿が読み取られる原稿読み取り位置を通過させる構成となっている。
【００２７】
排出ローラ１８は、原稿読み取り位置を通過した原稿を複数設けられた一対のローラの回転駆動で、排出部１２から排出する構成となっている。
【００２８】
原稿トレイ２０は、原稿を積載して給紙部１１へ原稿を給紙し、また、排出部１２から排出された原稿を受け取るものである。
図１（ａ）に示すように、原稿トレイ２０は、フレーム２の右端側において、奥側の一端がフレーム２と接続され、手前側の他端が支持柱４と接続される形で設置される。
また、原稿トレイ２０は、接続されたフレーム２側で後述する駆動装置３０と連結されて軸周りに揺動することで、揺動先端が保持部６と連接し給紙部１１へ原稿を給紙する給紙位置と、揺動先端が排出部１２の下方に位置し排出部１２から排出された原稿を受け取る排出位置との間で移動可能な構成となっている（図１（ｂ）参照）。
【００２９】
原稿トレイ２０は、上方に開口して後述する仕切り装置４０を収容することが可能な凹部２１と、仕切り装置４０の移動経路に沿って設けられた中空部２２とを有する。
凹部２１は、原稿トレイ２０の幅方向に延在し、仕切り装置４０と略同一の幅及び略同一の厚さの溝を有し、仕切り装置４０を収容できる構成となっている。
中空部２２は、原稿トレイ２０内に設けられた中空空間であり、仕切り装置４０の移動経路に沿った扇形に形成され、中空部２２内を仕切り装置４０が移動可能な構成となっている。
また、中空部２２は、凹部２１の底側面に連通する形で接続されることで、仕切り装置４０が中空部２２及び凹部２１を互いに行き来できる構成となっている。
【００３０】
駆動装置３０は、原稿トレイ２０を給紙位置と排出位置との間で移動させるものである。
図１（ａ）に示すように、駆動装置３０は、原稿トレイ２０と連結され、内部に設けられたモータ等の駆動源を駆動させることで、原稿トレイ２０が接続されるフレーム２と支持柱４とを結ぶ軸を回転軸として、原稿トレイ２０を移動させることができる構成となっている。
【００３１】
仕切り装置４０は、原稿トレイ２０が排出位置にあるとき、保持部６と協働して給紙部１１へ給紙される原稿を支持すると共に、排出部１２から排出される原稿とを仕切るものである。
仕切り装置４０は、フレーム２の奥手側に設けられた格納部５の左端近傍に、接続ピン４１を介して接続される。
接続ピン４１は、接続ピン４１の下方に設けられた不図示の回転駆動装置と接続される構成となっている。
したがって、仕切り装置４０は、接続ピン４１の回転に伴って接続ピン４１を中心とした略水平方向に沿った回転運動を行うことで、原稿の給紙部１１への給紙方向の前方側を保持する保持部６の後方側であって、原稿トレイ２０の幅方向に延在して下方から支持する支持位置Ａと、支持位置Ａから反時計回り方向に９０度回転して原稿トレイ２０上から退避する退避位置Ｂとの間で移動可能な構成となっている。
格納部５は、仕切り装置４０の幅及び厚さ以上の溝を有し、仕切り装置４０が、退避位置Ｂへ移動した際、格納できる構成となっている。
【００３２】
続いて、図２を参照して、原稿給送装置１の動作について説明する。
【００３３】
図２（ａ）〜（ｄ）は、第１実施形態における原稿給送装置１の動作について順次、図示している。
【００３４】
図２（ａ）に示すように、始め、原稿給送装置１は、原稿Ｐを給紙装置１０の給紙部１１へ給紙する給紙位置で原稿トレイ２０を待機させる。このとき、仕切り装置４０は、原稿トレイ２０の凹部２１に収容される形で配置される（支持位置Ａ）。
ユーザーは、原稿Ｐを原稿トレイ２０及び仕切り装置４０の上に積載し、原稿Ｐの一端を給紙装置１０の給紙部１１に挿入する形で設置する。
このとき、原稿Ｐは、給紙部１１に挿入される形で前方側を保持部６に、後方側を原稿トレイ２０に支持され、加えて、保持部６に設けられた一対のスライドカーソル３によって、給紙部１１に対する原稿Ｐの幅方向の挿入位置を調節される。
【００３５】
ユーザーは、原稿給送装置１に原稿Ｐを設置後、不図示の画像形成装置に設置されたスイッチを押すことで、原稿給送装置１に原稿Ｐの原稿読み取り位置への給送動作を開始させる。
【００３６】
図２（ｂ）に示すように、まず、原稿Ｐを給送する前に、原稿給送装置１は、駆動装置３０を駆動させ、原稿トレイ２０を給紙位置から、排出部１２から排出される原稿Ｐを受け取る排出位置へと移動させる。当該移動によって、原稿読み取り位置への給送後、排出される原稿Ｐを原稿トレイ２０上に載置し、支持させることができる。
【００３７】
原稿トレイ２０の排出位置への移動によって、仕切り装置４０は、原稿トレイ２０と代わり、給紙位置で支持する支持位置Ａにおいて、給紙方向の後方側の下方から原稿Ｐを支持する。したがって、仕切り装置４０は、給紙位置の原稿Ｐが、排出位置にある原稿トレイ２０上に落下し、排出された原稿Ｐと混載することを防ぐことができる。つまり、仕切り装置４０は、原稿トレイ２０と代わって給紙位置の原稿Ｐを支持することによって、給紙位置の原稿Ｐと、排出された原稿Ｐとを仕切る効果を奏することができる。
【００３８】
なお、原稿Ｐを支持する方法として、給紙部１１手前の保持部６で原稿Ｐを厚さ方向に挟持させて保持する保持装置を用いる方法も考えられるが、当該方法では、原稿Ｐを給紙する際、保持装置と原稿Ｐとの摺動による擦傷が懸念される。しかし、本実施形態の仕切り装置４０では、原稿Ｐを下方から支持するため、擦傷の懸念を解消できる。
【００３９】
原稿給送装置１は、原稿トレイ２０が排出位置へ移動した後、給紙装置１０を駆動させ、原稿Ｐを順次、原稿読み取り位置へ給送する。
給紙装置１０は、アーム１３ａを操作し、ピックアップローラ１３を原稿Ｐの最上面に当接させる。
ピックアップローラ１３は、回転駆動することでピックアップローラ１３周面と当接した原稿Ｐの表面との摩擦力を利用して、原稿Ｐを一枚ずつ下流に設けられた調節ローラ１４へ給紙する。
調節ローラ１４は、ピックアップローラ１３から給紙された原稿Ｐの先端の位置を調整し、給送ローラ１５へ給送する。
給送ローラ１５は、調節ローラ１４から給送された原稿Ｐを更に下流に位置する密着ローラ１６へ給送する。
密着ローラ１６へ給送された原稿Ｐは、密着ローラ１６と密着ローラ１６周面に複数設けられた補助ローラ１７とによって、密着ローラ１６に密着させられることとなる。当該密着によって、原稿Ｐが、皺になって原稿読み取り部５０に読み取られることを防止することができる。
【００４０】
密着ローラ１６は、原稿Ｐを密着させつつ回転駆動し、原稿読み取り部５０との間に介在する不図示のガラス面に原稿Ｐを近接させることで、原稿読み取り部５０に原稿を読み取らせる。
原稿読み取り位置を通過した原稿Ｐは、排出ローラ１８によって、排出部１２から排出され、排出位置に移動されている原稿トレイ２０上に載置される。
【００４１】
図２（ｃ）に示すように、上記給送動作を繰り返すことによって、すべての原稿Ｐが、排出位置に移動されている原稿トレイ２０上に支持されることとなる。
原稿給送装置１は、給紙装置１０の駆動の停止から給送動作の終了を判定し、接続ピン４１を回転駆動させることで、仕切り装置４０を支持位置Ａから退避位置Ｂへ移動させる（図１（ａ）参照）。
退避位置Ｂへ移動された仕切り装置４０は、フレーム２に設けられた格納部５に格納されることで、原稿トレイ２０上から退避する。
【００４２】
図２（ｄ）に示すように、原稿給送装置１は、仕切り装置４０が退避したことを確認後、排出された原稿Ｐが載置した原稿トレイ２０を排出位置から、給紙位置へとリフトアップすることで、ユーザーに原稿Ｐを回収し易くさせると共に、原稿Ｐを視認させることができる。
原稿トレイ２０のリフトアップ時に、仕切り装置４０は、原稿トレイ上から退避しているため、原稿トレイ２０と衝突することで損傷を受けることはない。また、当該退避によって、仕切り装置４０が、原稿Ｐ上から退避することで、ユーザーの原稿Ｐを視認する行為を妨げたり、原稿Ｐの回収行為を妨げることもない。
【００４３】
仕切り装置４０は、原稿トレイ２０が給紙位置へリフトアップした後、原稿トレイ２０の中空部２２内を経由して退避位置Ｂから支持位置Ａへと移動し、原稿トレイ２０に設けられた凹部２１にて待機する。
【００４４】
最後に、ユーザーが給紙位置にある原稿Ｐを回収することで原稿給紙装置１の一連の動作が終了することとなる。
【００４５】
したがって、上述した本発明の第１実施形態によれば、原稿読み取り位置に給送される原稿Ｐを積載する原稿トレイ２０を有する原稿給送装置１であって、原稿Ｐが原稿読み取り位置に給紙される給紙位置と、原稿読み取り位置を通過して排出される原稿Ｐを受け取る排出位置との間で、原稿トレイ２０を移動させる駆動装置３０と、原稿トレイ２０が排出位置へ移動した時、原稿Ｐを給紙位置で支持して、排出位置の原稿トレイ２０に支持された原稿Ｐとを仕切る仕切り装置４０とを有するという構成を採用することによって、給紙位置に原稿Ｐをセットした後に、原稿トレイ２０を排出位置に移動させることができる。また、原稿トレイ２０が排紙位置へ移動する際、仕切り装置４０が、給紙される原稿Ｐを支えることができ、かつ、原稿Ｐを原稿トレイに排出される原稿Ｐから分離させることができる。
つまり、本発明では、一つの原稿トレイ２０で原稿Ｐの給紙、排紙される原稿Ｐの受け取りを行うことができるため、原稿トレイ２０に排出された原稿Ｐに直接アクセスすることができると共に、当該原稿Ｐを確実に視認することができる。
また、仕切り装置４０が、原稿Ｐを挟持することなく下方から支えることによって擦傷の懸念も解消できる。
したがって、本発明は、ユーザーの排紙された原稿Ｐへのアクセスを容易にすると共に、ユーザーに排紙された原稿Ｐをより確実に回収させることができる効果がある。
【００４６】
また、本発明の第１実施形態では、仕切り装置４０は、給紙位置で原稿Ｐを支持する支持位置Ａと、該支持位置Ａから退避する退避位置Ｂとの間を移動するという構成を採用することによって、仕切り装置４０が給紙される原稿Ｐを支持する支持位置Ａから退避することができる。
したがって、原稿トレイ２０のリフトアップ時に、仕切り装置４０は、原稿トレイ上から退避しているため原稿トレイ２０と衝突し、損傷することはない。また、当該退避によって、仕切り装置４０が、ユーザーの原稿Ｐを視認する行為を妨げたり、原稿Ｐの回収行為を妨げることもない。
【００４７】
また、本発明の第１実施形態では、原稿トレイ２０は、仕切り装置４０を収容する凹部２１と、凹部２１と接続し仕切り装置４０の移動経路に沿って設けられた中空部２２とを有するという構成を採用することによって、仕切り装置４０を収容できると共に、原稿トレイ２０上に原稿Ｐが載置した状態であっても、仕切り装置４０を支持位置Ａへ移動させることができる。
【００４８】
（第２実施形態）
図３は、本発明の第２実施形態における原稿給送装置１の平面図を示す。
以下、本発明の第２実施形態について説明するが、第１実施形態と構成を同じくする部分の説明は省略する。
【００４９】
原稿給送装置１は、棒材で形成される仕切り装置４０と、原稿トレイ２０に原稿Ｐが載置されているか否かを検出する検出センサ６０と、検出センサ６０の検出結果に基づいて駆動装置３０の駆動を制御する不図示の制御装置とを有する構成となっている。
【００５０】
仕切り装置４０は、原稿Ｐをユーザーの非把持側（左手奥側）で支持し（すなわち、把持側を非支持とし）、原稿トレイ２０に積載される原稿Ｐの対角線の内、ユーザーの把持側が切り欠かれた略ｙ字形状の棒材で形成される。仕切り装置４０は、仕切り装置４０の略ｙ字形状の各端部がフレーム２と接続され、原稿トレイ２０の上に配置される。
また、仕切り装置４０の当該略ｙ字形状は、原稿Ｐを支持させる強度を確保しつつ、原稿Ｐを覆う面積を減少させることで視認性の向上を図るものである。
【００５１】
原稿トレイ２０は、仕切り装置４０の形状に合わせて、略ｙ字形状の凹形状２３が原稿トレイ２０の表面上に形成され、仕切り装置４０を収容可能な構成となっている。
【００５２】
検出センサ６０は、原稿トレイ２０の平面略中央部に配置され、検出センサ６０上に原稿Ｐが載置されているか否かを検出し、後述する制御装置に検出結果を伝送する構成となっている。
【００５３】
制御装置は、検出センサ６０から伝送された検出結果に基づき、駆動装置３０の駆動を制御することで、駆動装置３０に連結された原稿トレイ２０の動作を制御する構成となっている。
【００５４】
続いて、図４を参照して、本発明の第２実施形態における原稿給送装置１の動作について説明する。
図４（ａ）〜（ｄ）は、第２実施形態における原稿給送装置１の動作について順次、図示している。
【００５５】
図４（ａ）に示すように、原稿給送装置１は、原稿Ｐを給紙する給紙位置で原稿トレイ２０を待機させる。このとき、仕切り装置４０は、原稿トレイ２０の凹形状２３に収容される形で配置される。
原稿Ｐは、原稿トレイ２０及び仕切り装置４０上に積載され、給紙部１１に挿入される形で保持部６、原稿トレイ２０及び仕切り装置４０に支持される。
【００５６】
ユーザーは、原稿給送装置１に原稿Ｐを設置後、不図示の画像形成装置に設置されたスイッチを押すことで、原稿給送装置１に原稿Ｐの原稿読み取り位置への給送動作を開始させる。
【００５７】
図４（ｂ）に示すように、まず、原稿Ｐを給送する前に、原稿給送装置１は、駆動装置３０を駆動させ、原稿トレイ２０を、給紙位置から排出位置へと移動させる。
原稿トレイ２０の排出位置への移動によって、仕切り装置４０は、原稿Ｐの給紙方向の前方側を支持する保持部６と共に、給紙方向の後方側の下方から原稿Ｐを支持する。
【００５８】
次に、原稿給送装置１は、原稿トレイ２０が排出位置へ移動した後、上述した給紙装置１０の給送動作によって、原稿Ｐを給紙部１１から取り込み、原稿読み取り位置を通過させ、排出部１２から排出する。
排出部１２から排出された原稿Ｐは、排出位置に移動されている原稿トレイ２０上に載置されることとなる。このとき、原稿Ｐが原稿トレイ２０上に載置されると、原稿トレイ２０に設けられた検出センサ６０は、原稿Ｐが載置されたことを検出し、制御装置に検出結果を伝送する。
そして、制御装置は、上記検出結果に基づき、排出位置にある原稿トレイ２０に原稿Ｐが載置されている場合、原稿トレイ２０を排出位置で静止させるように、駆動装置３０の駆動を制御する。
【００５９】
図４（ｃ）に示すように、原稿給送装置１は、上記給送動作を給紙装置１０に繰り返させることによって、すべての原稿Ｐが、排出位置に移動されている原稿トレイ２０上に支持されると、給紙装置１０に給送動作を終了させる。
給送動作が終了した後、ユーザーは、排出位置にある原稿トレイ２０上に支持される原稿Ｐを回収する。
このとき、仕切り装置４０が棒材で形成されることから、ユーザーは、原稿Ｐの回収時、棒材の間隙から原稿Ｐを視認することができ、また、仕切り装置４０が把持側が切り欠かれた略ｙ字形状を有することから、把持側から原稿Ｐへのアクセスが容易にできる。
【００６０】
図４（ｄ）に示すように、ユーザーが原稿Ｐをすべて回収した後、検出センサ６０は、原稿トレイ２０上に原稿Ｐが載置されていないことを検出し、制御装置に検出結果を伝送する。そして、制御装置は、上記検出結果に基づき、原稿Ｐが回収され空となった原稿トレイ２０を排出位置から給紙位置へ移動させるように、駆動装置３０の駆動を制御する。
したがって、原稿トレイ２０が、原稿Ｐの回収前に移動して、原稿Ｐと共に仕切り装置４０に衝突することで損傷させることを防止できる。
【００６１】
当該駆動により、原稿トレイ２０をリフトアップさせ、給紙位置で待機状態にし、次の原稿Ｐの給紙に備えることで原稿給紙装置１の一連の動作が終了する。
【００６２】
したがって、上述した本発明の第２実施形態によれば、仕切り装置４０は、棒材で形成されて、ユーザーの非把持側を支持するという構成を採用することによって、本発明では、排紙された原稿Ｐを回収するユーザーの非把持側を棒材で支持することができる。
したがって、棒材なので原稿を覆う領域（面積）が少なく視認性が向上する効果がある。また、第一実施形態にかかる仕切り装置４０と比較して部品点数の削減が図られ、コストダウンに寄与できる。
【００６３】
また、本発明の第２実施形態では、仕切り装置４０は、原稿Ｐの対角線の内、把持側が切り欠かれた略ｙ字形状を有するという構成を採用することによって、略ｙ字形状に形成された棒材で給紙される原稿Ｐを支持することができる。
したがって、ユーザーは、仕切り装置４０が把持側が切り欠かれた略ｙ字形状を有することから、回収時、把持側から原稿Ｐへのアクセスが容易にできる。また、仕切り装置４０の当該ｙ字形状は、原稿Ｐを支持させる強度を確保しつつ、原稿Ｐを覆う面積を減少させることで視認性の向上を図ることができる効果がある。
【００６４】
また、本発明の第２実施形態では、原稿トレイ２０は、仕切り装置４０を収容する凹形状２３を有するという構成を採用することによって、原稿トレイ２０と仕切り装置４０とが一体となって、給紙位置の原稿Ｐを支持することができる。
【００６５】
また、本発明の第２実施形態では、原稿トレイ２０に原稿Ｐが載置されているか否かを検出する検出センサ６０と、検出センサ６０の検出結果に基づいて、駆動装置３０を駆動させる制御装置とを有するという構成を採用することによって、ユーザーが排紙された原稿Ｐを回収したことを検出センサ６０で検出した後、空となった原稿トレイ２０を初期の待機状態へ移動させることができる。
したがって、原稿トレイ２０が、原稿Ｐの回収前に移動して、原稿Ｐと共に仕切り装置４０に衝突することで損傷させることを防止できる。
【００６６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００６７】
例えば、上記実施形態において、仕切り装置４０は、ユーザーが原稿Ｐを視認する視認性を更に向上させるために、透視性を有する透明部材から形成されても良い。
【００６８】
また、上記第２実施形態において、検出センサ６０及び制御装置は、原稿トレイ２０を駆動させる駆動装置３０を制御すると説明したが、原稿トレイ２０上に排紙された原稿Ｐがある一定時間を越えて載置されている場合に、ユーザーが原稿Ｐを回収し忘れていると判断して、警報を発する構成であっても良い。
【図面の簡単な説明】
【００６９】
【図１】本発明の第１実施形態における原稿給送装置の平面図及び線視Ｘ−Ｘ断面図である。
【図２】本発明の第１実施形態における原稿給送装置の動作を説明する線視Ｘ−Ｘ断面図である。
【図３】本発明の第２実施形態における原稿給送装置の平面図である。
【図４】本発明の第２実施形態における原稿給送装置の動作を説明する線視Ｘ−Ｘ断面図である。
【符号の説明】
【００７０】
１…原稿給送装置、２０…原稿トレイ、２１…凹部、２２…中空部、２３…凹形状、３０…駆動装置、４０…仕切り装置、６０…検出センサ、Ａ…支持位置、Ｂ…退避位置、Ｐ…原稿
【図１】
2009040519.tif 000003
【図２】
2009040519.tif 000004
【図３】
2009040519.tif 000005
【図４】
2009040519.tif 000006